(57)【特許請求の範囲】
【請求項１】
かつらの輪郭の少なくとも一部に沿ってかつら装着者の頭部に形成されたかつら取付部の編込み構造であって、
適宜の間隔でかつら取付部に沿って複数本の毛髪を取り纏めて毛束とし各毛束を順次一方向に重ね合わせることで連接して形成する集束毛と、
上記集束毛に重ね合わせてかつら取付部の全長に亙って配設する芯糸と、
上記集束毛及び上記芯糸を結束する２本又はそれ以上の編込み用糸と、を有し、
上記集束毛及び上記芯糸を上記編込み用糸で外周から囲繞し結束することで編込み部が構成され、
上記編込み部は、毛束を取り込んで集束毛と合流させる毛束合流部と、上記毛束合流部に対応した位置に配置される絡合部とを有し、
上記毛束合流部では集束毛と芯糸と取り込んだ毛束とを集束した集束帯を２本以上の編込み用糸で巻回して結束すると共に、上記絡合部では２本以上の編込み用糸を互いに絡合させることで、上記編込み部が、かつら取付部の全長に形成されたことを特徴とする、かつら取付部の編込み構造。
【請求項２】
前記編込み端部の毛束が、前記編込み用糸で結着されたことを特徴とする、請求項１に記載のかつら取付部の編込み構造。
【請求項３】
前記２本以上の編込み用糸は、並んで延びる２本以上の編込み用糸に撚りを掛けることで中間に生じる間隙部と、該間隙部の前後に生じる互いに反対向きの一対の撚り部と、後側撚り部の外側に生じる広がり部と、を有し、上記間隙部及び上記広がり部に対して、前記集束帯が挿入され且つ上記編込み用糸で締め付けることで、前記編込み部が形成されることを特徴とする、請求項１に記載のかつら取付部の編込み構造。
【請求項４】
前記毛束合流部は、前記集束帯を前記２本以上の編込み用糸の間隙部と広がり部に順次通して締め付けることで形成され、前記絡合部は、前側の撚り部と後側の撚り部とで隣り合った二箇所に形成されることを特徴とする、請求項３に記載のかつら取付部の編込み構造。
【請求項５】
前記２本以上の編込み用糸の撚り部は、２巻き以上の撚りを掛けることで形成されることを特徴とする、請求項３又は４に記載のかつら取付部の編込み構造。
【請求項６】
前記集束帯を捻った状態で、前記２本の編込み用糸の間隙部及び広がり部に通して結束することで、前記編込み部が形成されたことを特徴とする、請求項３乃至５の何れかに記載のかつら取付部の編込み構造。
【請求項７】
かつらの輪郭の少なくとも一部に沿ってかつら装着者の頭部に形成されたかつら取付部の編込み構造であって、
適宜の間隔で各位置の複数本の毛髪を取り纏めて毛束とし各毛束を順次一方向に重ね合わせることで連接して形成する集束毛と、
上記集束毛に重ね合わせて配設する芯糸と、
上記集束毛と上記芯糸の外周を結束する編込み用糸と、で成り、
上記編込み用糸は、各毛束を集束毛として重ね合わせる毎に作られた締まり輪に上記集束毛と上記芯糸とを通して縮径させることで該集束毛と芯糸の外周を結束していることを特徴とする、かつら取付部の編込み構造。
【請求項８】
前記芯糸は、前記編込み用糸の先端側の一部で構成されたことを特徴とする、請求項１又は７に記載のかつら取付部の編込み構造。
【請求項９】
請求項１〜８の何れかに記載のかつら取付部の編込み構造において、緩みが生じた編込み部を補強する際に、順次整列して連なる毛束の複数を一群とし、各群毎に毛束の両端が括り糸で緊縛されて成り、これにより緊縛された毛束の群が屈曲し、編込み部を頭皮に密着させたことを特徴とする、編込み部の補強構造。
【請求項１０】
かつらの輪郭の少なくとも一部に沿ってかつら装着者の頭部に形成したかつら取付部において、該かつら取付部が、適宜の間隔で複数本の毛髪を取り纏めた毛束と、該各毛束を順次編込み用糸で編み込むことにより形成した編込み部と、で構成され、
かつらを固定しているかつら取付部の毛束の根元部分が伸びてかつらの固定が緩くなった上記かつら取付部について、隣接する複数の毛束の根元部分を括り糸でループ状に囲繞して緊縛することにより、該複数の毛束を屈曲してかつら取付部を頭皮に密着して補強する、かつら取付部の補強編込み構造。
【請求項１１】
かつらの輪郭の少なくとも一部に沿ってかつら装着者の頭部に形成したかつら取付部において、該かつら取付部が、適宜の間隔で複数本の毛髪を取り纏めた毛束と、該各毛束を順次編込み用糸で編み込むことにより形成した編込み部と、で構成され、
かつらを固定しているかつら取付部の毛束の根元部分が伸びてかつらの固定が緩くなった上記かつら取付部について、隣接する複数の毛束の根元部分を括り糸でループ状に囲繞すると共に、上記編込み部に対しても巻回し、上記毛束の根元部分と上記編込み部とを共締めして緊縛することで、該複数の毛束を屈曲してかつら取付部を頭皮に密着して補強する、かつら取付部の補強編込み構造。
【請求項１２】
前記括り糸を、前記編込み部に対し斜め方向に通した位置で毛束を緊縛すると共に、逆斜め方向に通した位置でも該括り糸により毛束を緊縛することで、上記毛束の根元部分を屈曲されかつら取付部を頭皮に密着して補強する、請求項１１に記載のかつら取付部の補強編込み構造。
【請求項１３】
かつらの輪郭の少なくとも一部に沿ってかつら装着者の頭部に形成されたかつら取付部の編込み方法であって、
適宜の間隔でかつらの輪郭に沿って複数本の毛髪を取り纏めて毛束とし前段の毛束に次段の毛束を一方向に重ね合せることで毛束を連接してなる集束毛を形成する工程と、
上記集束毛に次段の毛束を合流させる集束毛合流部に芯糸を添わせ該集束毛合流部を２本以上の編込み用糸で巻回し結束して編込み部を形成する工程と、
以後同様に、順次、毛束を取り纏めて集束毛に合流させ、集束毛合流部の集束毛と芯糸と取り込んだ毛束とを集束した集束帯を２本以上の編込み用糸で巻回して結束すると共に、上記毛束合流部に対応した位置に配置される絡合部において２本以上の編込み用糸を互いに絡合させることを反復することで、編込み部をかつら取付部の全長に形成する、ことを特徴とするかつら取付部の編込み方法。
【請求項１４】
前記編込み部の編込み開始端の毛束を、前記２本以上の編込み用糸で結着して編み込み開始することを特徴とする、請求項１３に記載のかつら取付部の編込み方法。
【請求項１５】
並んで延びる２本以上の編込み用糸に撚りを掛けることで中間に間隙部を生じさせると共に、該間隙部の前後に互いに反対向きの一対の撚り部を生じさせ且つ後側撚り部の外側に広がり部を生じさせ、上記間隙部及び上記広がり部に対して、前記集束帯を、挿入し且つ編込み用糸で締め付けることで、前記編込み部を形成することを特徴とする、請求項１３に記載のかつら取付部の編込み方法。
【請求項１６】
前記毛束合流部は、前記集束帯を前記２本の編込み用糸の間隙部と広がり部に順次通して締め付けることで形成し、前記絡合部は、前側の撚り部と後側の撚り部とで隣り合った二箇所に形成することを特徴とする、請求項１５に記載のかつら取付部の編込み構造。
【請求項１７】
前上記２本以上の編込み用糸の撚り部は、２巻き以上の撚りを掛けることで形成することを特徴とする、請求項１５又は１６に記載のかつら取付部の編込み方法。
【請求項１８】
前記集束帯を捻り、この集束帯を前記２本以上の編込み用糸の間隙部又は広がり部に通して結束することで、前記編込み部を形成することを特徴とする、請求項１５乃至１７の何れかに記載のかつら取付部の編込み方法。
【請求項１９】
かつらの輪郭の少なくとも一部に沿ってかつら装着者の頭部の２以上の各位置の複数本の毛髪を取り纏めて毛束とし前段の毛束に次段の毛束を一方向に重ね合せることで毛束を連接してなる集束毛とする工程と、
上記集束毛に芯糸を添わせ外側から編込み用糸で結束して編込み部とする工程と、
以後同様に、順次、次段位置の複数本の毛髪を取り纏めて次段の毛束とし該次段の毛束を上記集束毛と芯糸に重ね合わせ該重ね合わせ部分を上記編込み用糸で結束することで、編込み部を連続して形成し、
上記編込み用糸による結束は、各毛束を集束毛として重ね合せる毎に締まり輪を作り、該締まり輪に上記毛束合流部を上記芯糸と共に通して縮径させることで該集束毛と芯糸の外周を結束することを特徴とする、かつら取付部の編込み方法。
【請求項２０】
前記芯糸を、前記編込み用糸の先端側の一部で構成することを特徴とする、請求項１３又は１９に記載のかつら取付部の編込み方法。
【請求項２１】
請求項１〜９の何れかに記載のかつら取付部の編込み構造において、緩みが生じた編込み部を補強する際に、順次整列して連なる毛束の複数を一群とし、各群毎に両端の毛束の根元部分を括り糸で返し縫い方式でループ状に緊縛し、緊縛した毛束の群をくの字に屈曲させることで、編込み部を頭皮に密着させることを特徴とする、かつら取付部の補強編込み方法。
【請求項２２】
かつらの輪郭の少なくとも一部に沿ってかつら装着者の頭部に形成するかつら取付部を、適宜の間隔で複数本の毛髪を取り纏めた毛束と、該各毛束を順次編込み用糸で編み込むことにより形成した編込み部と、で構成し、かつらを固定している上記かつら取付部の毛束の根元部分が伸びてかつらの固定が緩くなったときに、
隣接する複数の毛束の根元部分を括り糸で返し縫い方式でループ状に囲繞すると共に、該括り糸を緊縛することで、上記複数の毛束をくの字に屈曲してかつら取付部を頭皮に密着させて補強することを特徴とする、かつら取付部の補強編込み方法。
【請求項２３】
かつらの輪郭の少なくとも一部に沿ってかつら装着者の頭部に形成するかつら取付部を、適宜の間隔で複数本の毛髪を取り纏めた毛束と、該各毛束を順次編込み用糸で編み込むことにより形成した編込み部と、で構成し、かつらを固定している上記かつら取付部の毛束の根元部分が伸びてかつらの固定が緩くなったときに、
隣接する複数の毛束の根元部分を括り糸で返し縫い方式でループ状に囲繞すると共に、上記編込み部に対しても巻回し、上記毛束の根元部分と上記編込み部とを共締めして緊縛することで、上記複数の毛束をくの字に屈曲してかつら取付部を頭皮に密着させて補強することを特徴とする、かつら取付部の補強編込み方法。
【請求項２４】
前記括り糸を、前記編込み部に対し斜め方向に通した位置で毛束を緊縛すると共に、逆斜め方向に通した位置でも該括り糸による毛束を緊縛することで、上記毛束の根元部分を屈曲させてかつら取付部を頭皮に密着させて補強することを特徴とする、請求項２３に記載のかつら取付部の補強編込み方法。
【発明の詳細な説明】
【技術分野】
【０００１】
本発明は、かつら装着者の頭髪を利用して形成したかつら取付部の編込み構造及び編込み方法、並びにかつら取付部にかつらを固定後頭髪が伸びてかつらに浮きが生じたときにかつら取付部を再生する補強編込み構造とその方法に関するものである。
【背景技術】
【０００２】
かつらは、かつらベースとこのかつらベースに植設した擬毛とを有して構成される。かつらベースは、一般に、合成樹脂や布等からなり、擬毛は人毛や合成繊維で作った人工毛からなっている。
ところで、かつらを頭部に固定する場合、かつら内面に設けたストッパを用いてかつら装着者自身の薄毛部周辺の頭髪に当該ストッパを所定間隔で係着する方式、或いは、接着剤や両面テープにより頭部に直接貼着する方式などが知られている。これらの方式は、通常、手軽にかつらの装着脱が行えるという利便性を備えている。
一方、頭部の薄毛個所の周辺に残った頭髪の複数本を取り纏めて毛束を作り、この毛束をかつらの輪郭に沿って、順次、複数個所で作っていき、これらの毛束を利用して、かつら取付糸を毛束と共に編み込むことで、かつら装着者の頭部上でかつらを取り付けるための取付部を形成し、このかつら取付部を利用してかつらを固定する方式も知られている。この方式では、かつらを頭部に正しく載せかつらベースの端とかつら取付部とをかがり糸で緊縛していくことで、かつら装着者の頭部に固定するものである。この方式では、通常、数十日から１か月余程度かつらの装着を継続することができるので、かつらを頻繁に装着脱する手間を省くことができる。
【０００３】
後者、すなわち、かつら取付部を利用したかつらの固定方式にあっては、従来、例えば特許文献１〜４に記載した技術が提案されている。
特許文献１のかつら取付部の形成方法は、１本の括り糸と、２本の撚り糸（かつら取付糸）との端に束にした頭髪で毛束の結び目を形成し、編込み開始端から１０〜１５本程度の毛束を取り出し、この毛束を３本の糸の結び目に密着させて括り糸と２本の撚り糸の間に下方から挟み込んで編込みを開始する。この編込み方式では、３本の糸と毛束とで三つ網よりも難しい特殊な四つ網を行うものである。この編込みは、次の毛束を取り出す距離までの間に、４〜５回、毛束を３本の糸の間に通して順次編み込んでいき、次の毛束を取り出す手前で２個の結び目を形成して１サイクルを完了する。この１サイクルの編込みを反復して頭部を捲回していき、最後に結び目を作るものである。
【０００４】
特許文献２によれば、「頭部の無毛箇所等の周辺に残った毛体を２本の糸で撚り合わせて編込む１サイクル毎の結び目間に於いて、毛束を２本の糸で捲回して編込む工程と、その糸で玉結びの中間の結び目を形成する工程と、毛束を引締め且つ２本の糸で固定する工程と、結び目を２本の糸で形成する工程とから成るかつら取付部の形成方法」を提案している。この方法によれば、１サイクル毎に結び目を２つずつ作ることになり、各結び目は、毛束を堅く締め結んでおらず片側へ寄せている。
【０００５】
特許文献３によれば、「頭部の無毛箇所および薄毛箇所の周辺に残った毛髪を複数本束ねた毛髪束に２本の糸を編み込んでかつら取付部を形成する方法であって、２本の糸によって形成される１サイクル毎の結び目間において、毛髪束を２本の糸の間に挿通した状態で２本の糸を撚りループを形成しループに毛髪束が通った状態にする工程と、毛髪束を２本の糸の間に挿通しない状態で糸を撚りループを形成する工程と、ループを引き絞る工程と、一方の糸に他方の糸を巻き付けて結び目を形成する工程とから成る、かつら取付部の形成方法」を提案している。この方法によれば、２本のかつら取付糸が額部に巻回されている状態になる。
【０００６】
特許文献４で提案しているかつら取付部の形成方法は、最初に例えば３本のかつら取付糸の先端部を編込み開始端を通り越して適宜に結び付けておく。この場合、かつら取付糸の先端部を、額部を通り越して頭部の編込終了予定位置より取り纏めた毛束に結び付けるか、または、頭部と離れた壁や柱など固定部に結び付けておく。そして、頭部の編込開始位置より取り纏めた毛束をかつら取付糸に対して編み込んで編込み部を作り、かつらベースの輪郭に沿った適宜間隔で取り纏めた毛束を用いてかつら取付糸を順次頭部に固定させる。必要に応じ、かつら取付糸の１本を括り糸とし、毛束のセット毎に結び目をつくる。最後に、最初の１〜１０本のかつら取付糸と連結し、かつら取付糸の先端部の余分を切除する。この方法によれば、かつら取付糸が額部に巻回されている状態になる。
【先行技術文献】
【特許文献】
【０００７】
【特許文献１】特許第２５７９６６６号公報
【特許文献２】特開２００２−２２０７２１号公報
【特許文献３】特開２００３−１１３５１８号公報
【特許文献４】特許第３６８６９９８号公報
【発明の概要】
【発明が解決しようとする課題】
【０００８】
特許文献１のかつら取付部の形成方法によれば、一の毛束と２本の撚り糸（かつら取付糸）との撚り合わせが終わったら、次の毛束を取り出して２本の撚り糸との撚り合わせを行うものであり、しかも１サイクルの編込み回数が多いので、一の毛束の取出し位置と次の毛束の取出し位置との１サイクルの距離を長く取る必要があることから、編込みをどんなにきつくしても１サイクルの距離の中間位置ではどうしてもゆるい感じなってしまう。この課題は、特許文献２，３でも解決できない。
【０００９】
特許文献１〜３によれば、技術者が最初の編込み時、２本の取付糸の先端から編み込み部までがピーンと張った状態でなければ、毛束をつかんでうまく編み込むことができないので、取付糸の先端を別の技術者か又はかつらを取り付けてもらっている人に持ってもらって、取付糸にテンションをかけて展張状態を保ちながら編み込みの作業を行い、少なくとも編み込み部を５個程度作ってある程度固定しなければ作業ができない、という課題がある。
【００１０】
特許文献４によれば、取付糸の先端を壁や柱に固定する方法は、被編込者の頭部と壁などの位置によっては、被編込者に無理な姿勢を強いたり、編込み時の取付糸の緩みを気にするあまり、取付糸のテンションが強くなり、頭髪が引っ張られて過度の痛みを生じる。また、編込み進行方向とは逆の被編込者の頭部に固定する方法は、編込み作業中ずっと、取付糸にテンションが掛かった状態で頭部に接しており、編込み自体以外に不快感を与えると共に、編込み作業が取付糸を固定した位置に差し掛かった時に、取付糸のテンションを緩ませずにその固定を解除することは困難である、という課題がある。
上記特許文献１〜４に記載の何れの技術にあっても、各毛束のそれぞれが個々に取付糸で編み込まれているにすぎず、言い換えれば、毛束を連続して編み込んでいくものではなく毛束毎の編込み方式（１サイクル独立完結編込み方式）であるので、個々の編込み部がきつく編込まれているために頭部の痛みの不快の度合いが高い。
ところで、編込み部によるかつら取付部にかつらを固定した後、二週間〜１ヶ月を経過し毛束の根元部分が相当に伸びると、かつら取付部と装着者の頭部（頭皮）との間に浮きが生じ、頭部との一体感が無くなってしまう。このような場合、特許文献１〜４に記載の何れの技術にあっても、毛束自体は、毛束を編んだ前後を取付糸で不連続で結着するので毛束が各々独立して間欠的に結着されている状態であるが、編込みしている取付糸は連続しているので、緩んだ場合の補修が不可能であること、さらに、取付部の緩みが生じ易くなると共に、かつら取付部の形成作業も煩雑にならざるを得ない。このため、頭髪が伸びてかつら取付部が緩んだ場合のかつらの再取付けには、かつら取付部を形成している編込み用の糸を切断して、かつら取付部を一旦解除した後、かつら取付部を最初から再形成することが必要であった。
【００１１】
本発明は、かつらを固定するためのかつら取付部をかつら装着者の頭髪を利用して形成する作業に熟練を必要とせず簡単に遂行でき、且つ、緩んだり解けたりせずに確実に且つ強固に形成し得る、かつら取付部の編込み構造及び編込み方法を提供することを一目的とする。
本発明は、さらに、かつら取付部にかつらを固定して日数を経過した後、各毛束の根元部分が伸びることでかつらの浮きが生じてかつらとかつら取付部との一体感が無くなり、かつらの再取付けを必要とする場合に、きわめて短時間で、頭皮に密着したかつら取付部を再生できるかつら取付部の補強編込み方法を提供することを他の目的とする。
【課題を解決するための手段】
【００１２】
上記一目的を達成するため、本発明のかつら取付部の編込み構造は、かつらの輪郭の少なくとも一部に沿ってかつら装着者の頭部にかつら取付部を形成するに際し、適宜の間隔でかつら取付部に沿って複数本の毛髪を取り纏めて毛束とし各毛束を順次一方向に重ね合わせることで連接して形成する集束毛と、集束毛に重ね合わせてかつら取付部の全長に亙って配設する芯糸と、集束毛及び芯糸を結束する２本以上の編込み用糸と、を有し、集束毛及び芯糸を編込み用糸で外周から囲繞し結束することで編込み部が構成され、編込み部は、毛束を取り込んで集束毛と合流させる毛束合流部と、毛束合流部に対応した位置に配置される絡合部とを有し、毛束合流部では集束毛と芯糸と取り込んだ毛束とを集束した集束帯を２本以上の編込み用糸で巻回して結束すると共に、絡合部では２本以上の編込み用糸を互いに絡合させることで、編込み部が、かつら取付部の全長に形成されたことを特徴とする。
【００１３】
上記一目的を達成するため、本発明は、かつらの輪郭の少なくとも一部に沿ってかつら装着者の頭部に形成されたかつら取付部の編込み構造であって、適宜の間隔で各位置の複数本の毛髪を取り纏めて毛束とし各毛束を順次一方向に重ね合わせることで連接して形成する集束毛と、集束毛に重ね合わせて配設する芯糸と、集束毛と芯糸の外周を結束する編込み用糸と、で成り、編込み用糸は、各毛束を集束毛として重ね合わせる毎に作られた締まり輪に集束毛と芯糸とを通して縮径させることで集束毛と芯糸の外周を結束していることを特徴とする。
【００１４】
上記一目的を達成するため、本発明のかつら取付部の編込み方法は、かつらの輪郭の少なくとも一部に沿ってかつら装着者の頭部にかつら取付部を形成するに当たり、適宜の間隔でかつらの輪郭に沿って複数本の毛髪を取り纏めて毛束とし前段の毛束に次段の毛束を一方向に重ね合せることで毛束を連接してなる集束毛を形成する工程と、集束毛に次段の毛束を合流させる集束毛合流部に芯糸を添わせ集束毛合流部を２本以上の編込み用糸で巻回し結束して編込み部を形成する工程と、以後同様に、順次、毛束を取り纏めて集束毛に合流させ、集束毛合流部の集束毛と芯糸と取り込んだ毛束とを集束した集束帯を２本以上の編込み用糸で巻回して結束すると共に、毛束合流部に対応した位置に配置される絡合部において２本以上の編込み用糸を互いに絡合させることを反復することで、編込み部をかつら取付部の全長に形成することを特徴とする。
【００１５】
上記一目的を達成するため、本発明のかつら取付部の編込み方法は、かつらの輪郭の少なくとも一部に沿ってかつら装着者の頭部の２以上の各位置の複数本の毛髪を取り纏めて毛束とし前段の毛束に次段の毛束を一方向に重ね合せることで毛束を連接してなる集束毛とする工程と；上記集束毛に芯糸を添わせ外側から編込み用糸で結束して編込み部とする工程と；以後同様に、順次、次段位置の複数本の毛髪を取り纏めて次段の毛束とし該次段の毛束を上記集束毛と芯糸に重ね合わせ該重ね合わせ部分を上記編込み用糸で結束することで、編込み部を連続して形成し、上記編込み用糸による結束は、各毛束を集束毛として重ね合せる毎に締まり輪を作り、該締まり輪に集束毛と芯糸とを通して縮径させることで該集束毛と芯糸の外周を結束することを特徴とする。
【００１６】
本発明の他の目的を達成するため、かつら取付部の補強編込み構造の一形態は、かつらの輪郭の少なくとも一部に沿ってかつら装着者の頭部に形成したかつら取付部において、該かつら取付部が、適宜の間隔で複数本の毛髪を取り纏めた毛束と、該各毛束を順次編込み用糸で編み込むことにより形成した編込み部と、で構成され、かつらを固定しているかつら取付部の毛束の根元部分が伸びてかつらの固定が緩くなった上記かつら取付部について、隣接する複数の毛束の根元部分を括り糸でループ状に囲繞して緊縛することにより、該複数の毛束を屈曲してかつら取付部を頭皮に密着して補強することを特徴とする。
【００１７】
本発明のかつら取付部の補強編込み構造の別の形態は、かつらの輪郭の少なくとも一部に沿ってかつら装着者の頭部に形成したかつら取付部において、該かつら取付部が、適宜の間隔で複数本の毛髪を取り纏めた毛束と、該各毛束を順次編込み用糸で編み込むことにより形成した編込み部と、で構成され、かつらを固定しているかつら取付部の毛束の根元部分が伸びてかつらの固定が緩くなった上記かつら取付部について、隣接する複数の毛束の根元部分を括り糸でループ状に囲繞すると共に、上記編込み部に対しても巻回し、毛束の根元部分と編込み部とを共締めして緊縛することで、該複数の毛束を屈曲してかつら取付部を頭皮に密着して補強することを特徴とする。
この構成において、上記括り糸を、上記編込み部に対し斜め方向に通した位置で毛束を緊縛すると共に、逆斜め方向に通した位置でも上記括り糸による毛束を緊縛することで、上記毛束の根元部分が屈曲されかつら取付部を頭皮に密着させると好ましい。
【００１８】
上記他の目的を達成するため、本発明のかつら取付部の補強編込み方法は、かつらの輪郭の少なくとも一部に沿ってかつら装着者の頭部に形成するかつら取付部を、適宜の間隔で複数本の毛髪を取り纏めた毛束と、該各毛束を順次編込み用糸で編み込むことにより形成した編込み部と、で構成し、かつらを固定しているかつら取付部の毛束の根元部分が伸びてかつらの固定が緩くなったときに、隣接する複数の毛束の根元部分を括り糸で返し縫い方式でループ状に囲繞すると共に、該括り糸を緊縛することで、複数の毛束をくの字に屈曲してかつら取付部を頭皮に密着させて補強することを特徴とする。
【００１９】
本発明のかつら取付部の補強編込み方法の他の形態は、かつらの輪郭の少なくとも一部に沿ってかつら装着者の頭部に形成するかつら取付部を、適宜の間隔で複数本の毛髪を取り纏めた毛束と、該各毛束を順次編込み用糸で編み込むことにより形成した編込み部と、で構成し、かつらを固定している上記かつら取付部の毛束の根元部分が伸びてかつらの固定が緩くなったときに、隣接する複数の毛束の根元部分を括り糸で返し縫い方式でループ状に囲繞すると共に、編込み部に対しても巻回し、毛束の根元部分と編込み部とを共締めして緊縛することで、複数の毛束をくの字に屈曲してかつら取付部を頭皮に密着させて補強することを特徴とする。
この構成において、括り糸を、編込み部に対し斜め方向に通した位置で毛束を緊縛すると共に、逆斜め方向に通した位置でも括り糸による毛束を緊縛することで、毛束の根元部分を屈曲させてかつら取付部を頭皮に密着させてもよい。
【００２０】
なお、この出願において、「結束」の用語は、特段の定義づけをしていない限り、毛髪同士を或いは糸同士を又は糸と毛髪とを緊縛することを含むほか、緊縛することなく、これらを撚り合わせ、捻じり、重ね合わせ、縫合、捲回、或いは接着又はこれらを組み合わせるなどにより、ばらけないよう束ねて、互いに拘束、束縛して固定する行為又は状態を広く含むものとする。
【発明の効果】
【００２１】
本発明のかつら取付部の編込み構造及び編込み方法によれば、各毛束を順次連接してなる集束毛を形成でき、この集束毛に芯糸が通された状態に、且つ各毛束を集束毛に重ね合わせる毎に２本以上の編込み用糸に撚りを掛けて網掛けして結束し、または締まり輪を作って集束毛と芯糸とを挿通してから該締まり輪を縮径させることで、連続した編込み部を形成することができる。従って、かつらを固定するためのかつら取付部をかつら装着者の頭髪を利用して形成する作業に熟練を必要とせず簡単に遂行でき、且つ、緩んだり解けたりせずに確実に且つ強固に形成し得る、かつら取付部の編込み構造及び編込み方法を提供することができる。
【００２２】
上記かつら取付部の編込み構造及び編込み方法によれば、編込み部は、多数本の毛髪を集めて連続した綱状体又は連鎖体になり、且つ芯糸を絡み通しているので非常に強度が大きいものとなる。
そして、各毛束間で、芯糸と共に連接した集束毛を編込み用糸で外周から結束して編込み部を構成したものであるから、位置を異にして取り纏めた毛束と毛束が密着して連接され、また毛束と芯糸が密着され、編込み部に外力が加わっても、毛束と毛束の相互間に、また毛束と芯糸の相互間にずれが生じない。
さらに、各毛束間で行う編込み用糸による結束は、従来のような毛束間で編込みを何回も繰り返して距離を長くとってしまうことはないので、毛束の間隔を小さくすることができるから、従来に比べて毛束を数多く設けることができ、該多数の毛束によってかつら取付部を頭部に強固に固定することができる。
このように、従来に比べて多数の毛束によって連接した集束毛を頭部に強固に固定できるから、かつら取付部にかつらを括り糸で取り付ける際に加わる外力やかつら取付後にかつらに外力が加わる場合、この外力は、連続した集束毛によって多くの毛束に伝わるように分散され、各毛束にかかる引張力が小さく抑制され、かつらとの一体感が向上する。
【００２３】
本発明のかつら取付部の補強編込み構造とその方法によれば、かつら取付部にかつらを固定し日数を経過した後、各毛束の根元部分が伸びてかつらの浮きが生じ、かつらの再取付けを必要とする場合に、括り糸で複数の毛束の根元部分に掛けたループを縮径し、括られた毛束の根元部分をくの字に屈曲するか、或いは、隣接する複数の毛束の根元部分を括り糸で返し縫い方式でループ状に囲繞すると共に、上記編込み部に対しても巻回し、上記毛束の根元部分と上記編込み部とを共締めして緊縛することで毛束の根元部分をくの字に屈曲させて、かつら取付部を頭皮に密着させるものである。
これにより、短時間で且つ簡単な作業で実質的に再取付けし全部の毛束の根元部分を短くしたものと同等の効果が得られ、かつらを取り付けたときにかつらとの一体感が得られるタイトなかつら取付部に再生できる。しかも毛束の根元部分が伸びてかつら取付部が再度弛んだときも、同じ再生方法を繰り返すことが可能である。
【図面の簡単な説明】
【００２４】
【図１】本発明のかつら取付部の第１の実施形態に係り、頭部上方から視た斜視図である。
【図２】図１のかつら取付部の両端部分を拡大し中間を省略した全体の模式的側面図である。
【図３】(ａ)は図１のかつら取付部の編込み構造を示す模式的平面図、(ｂ)は図１の模式的側面図である。
【図４】(ａ)は第１の実施形態に係るかつら取付部の編込み方法を示す概略斜視図、(ｂ)は概略平面図、(ｃ)，(ｄ)，(ｅ)はかつら取付部の編込み方法における第１段階を示す図である。
【図５】かつら取付部の編込み方法を示す工程図である。
【図６】図５に続くかつら取付部の編込み方法を示す工程図である。
【図７】（ａ），（ｂ）は図６に続くかつら取付部の編込み方法を示す工程図、（ｃ）はかつら取付部へかつらを固定する方法を示す図である。
【図８】（ａ）はかつら取付部を形成した直後の毛束の根元部分が短い状態を示すかつら取付部の模式的な斜視図、（ｂ）はかつら取付部の毛束の根元部分が伸びた状態を示すかつら取付部の模式的な斜視図、（ｃ）は（ｂ）のかつら取付部に対し補強編込みにより毛束の根元部分を屈曲して短い状態に再生したかつら取付部の模式的な斜視図である。
【図９】（ａ）はかつら取付部の毛束の根元部分が伸びたときの補強編込み方法の一例を模式的に示す図、（ｂ）は補強編込みを完了したかつら取付部の側面図である。
【図１０】かつら取付部の毛束の根元部分が伸びたときの補強編込み方法の別の例を示す模式的な工程図である。
【図１１】第２の実施形態に係るかつら取付部を頭部上方から視た図である。
【図１２】第３の実施形態に係るかつら取付部を頭部上方から視た図である。
【図１３】第４の実施形態に係るかつら取付部を頭部上方から視た図である。
【図１４】第５の実施形態に係るかつら取付部を頭部上方から視た図である。
【図１５】かつら取付部の形成方法の第６の実施形態に係り、(ａ)はかつら取付部の編込み構造を示す模式的平面図、(ｂ)は図１の模式的側面図である。
【図１６】かつら取付部の形成方法の第７の実施形態に係り、（ａ）はかつら取付部の形成途中を示す斜視図、（ｂ）は編込み部の斜視図である。
【発明を実施するための形態】
【００２５】
以下、本発明の実施形態に係るかつら取付部の編込み構造及び編込み方法並びに補強編込み方法について、それぞれ図面を参照して説明する。
〔第１の実施形態〕
この実施形態に係るかつら取付部１００は、図１に示すように、かつら装着者の薄毛状態が前額部から頭頂部に亙っておりその周辺に存在する自毛を利用することで、略Ｕ状に形成されている。この場合、図示しないかつらは、このかつら取付部１００と実質的に一致する外周を有するよう、通常、ほぼ縦長の楕円状に形成されるが、かつらの周縁部がこのかつら取付部１００より僅かに狭いか、逆にこれを僅かに覆う幅広の外形を有するように作製されていてもよい。
【００２６】
図２において、１，２，３，・・・，ｎ−３，ｎ−２，ｎ−１，ｎはいずれも毛束である。
このかつら取付部１００は、図２に示すように、複数本の頭髪（以下、適宜、自毛又は毛髪と称する場合がある。）を取り纏めて毛束とし該毛束を順次一方向に重ね合わせることで、毛髪の束が順次連接された集束毛１０と、集束毛１０の全長に沿って配設する芯糸１１と、集束毛１０を結束する２本の編込み用糸１２１，１２２と、で予め設定した形状、図示の例ではＵ状に形成されている。そして、編込み開始端の第１の毛束１は編込み用糸１２１，１２２で結着されて結着部１３Ａが形成されると共に、集束毛１０と芯糸１１とを纏めてその外周を編込み用糸１２１，１２２で結束することで、所定形状のかつら取付部となるよう、且つ図３に示す編込み構造となるよう、連続した編込み部２０を備えて形成されている。なお、編込み用糸１２１，１２２でどのように編み込んでいるかをわかりやすくするために、図３において、編込み用糸１２２にハッチング様の斜め線を付加して編込み用糸１２１と区別がつき易くしている。
【００２７】
この実施形態に係るかつら取付部の編込み構造は、適宜の間隔でかつら取付部１００に沿って複数本の毛髪を取り纏めて毛束とし各毛束を順次一方向に重ね合わせることで連接して形成する集束毛１０と、集束毛１０に重ね合わせてかつら取付部１００の全長に亙って配設する芯糸１１と、集束毛１０及び芯糸１１を結束する２本の編込み用糸１２１，１２２と、を有し、集束毛１０及び芯糸１１を編込み用糸１２１，１２２で外周から囲繞し結束することで編込み部２０が構成されてなる。図示の実施形態では、編込み用糸は２本で構成しているが、３本以上であってもよい。ただし、この場合は後述する綾取りによる撚りの掛け方や編み込み方が煩雑になるので、実用的ではない。
【００２８】
図３に示すように、編込み部２０は、毛束合流部１０ａと絡合部１０ｂとを有している。そして、毛束合流部１０ａの集束帯を２本の編込み用糸１２１，１２２で巻回して結束すると共に、絡合部１０ｂでは２本の編込み用糸１２１，１２２を互いに絡合させることで、編込み部２０が、かつら取付部１００の全長に形成されてなる。
ここで、毛束合流部１０ａとは、各毛束１，２，３，・・・，ｎ−３，ｎ−２，ｎ−１，ｎが集束毛１０に重ね合わされる、集束毛１０の合流エリアをいう。絡合部１０ｂとは、各毛束合流部１０ａに対応し巻回して結束する２本の編込み用糸１２１，１２２の撚り部１２ａ，１２ｃを配置する、集束毛１０のエリアをいう。集束帯とは、各毛束合流部１０ａにおける集束毛１０と芯糸１１と取り込んだ毛束とを集束した帯部分、すなわちここでは、２本の編込み用糸１２１，１２２が巻回される部分をいう。
【００２９】
毛束１，２，３，・・・，ｎ−３，ｎ−２，ｎ−１，ｎは、予め設定した略Ｕ状の形状に合わせた線（図４において、点線ｂで示すかつらの輪郭線）に沿って、複数本、例えば５〜２０本程度の頭髪を取り纏める、すなわち捕捉することで形成される。捕捉した毛束を緊縛することなどは不要であり、単に一纏めに束ねるだけでよい。
ここで、かつら取付部の形成を開始する編込み開始端Ａ１（図４（ｂ）参照）において、複数本の頭髪を捕捉し取り纏めて第１の毛束１とし、次いで、第１の毛束１に隣接した複数本の頭髪を取り纏めて第２の毛束２とし、同様にして、編込み終了端Ｂ１（図４（ｂ）参照）迄、順次、適宜の間隔で複数本の自毛を取り纏めて次段の毛束とすることで、多数の毛束が構成される。
互いに隣り合う毛束は適宜の間隔を有するよう間欠的に設定してもよいが、本発明では、少なくとも後段に続く毛束を集束毛に取り込みながら連接していく方式であるので、集束毛１０に隣接して生えている毛髪を次段の毛束とし、以下順次、隣接した自毛を捕捉していくことで密接して毛束を形成すると好ましい。
【００３０】
集束毛１０は、編込み開始端Ａ１から編込み終了端Ｂ１に至り、かつらの周縁に対応するＵ状のかつら取付部を形成するよう、多数の毛束１，２，３，・・・・，ｎ−３，ｎ−２，ｎ−１，ｎを一方向に重ね合わせることで連接して形成される。この集束毛１０に沿ってその全長に亙り芯糸１１が配設されており、集束毛１０と芯糸１１と取り込んだ毛束とを集束した集束帯の外周を２本の編込み用糸１２１，１２２で結束していくことで、順次、編込み部２０が形成される。この編込み部２０を１本の綱状に連続して延出して所定の長さに形成していくことで、編込み開始端Ａ１から編込み終了端Ｂ１に至るかつら取付部１００となる。芯糸１１と編込み用糸１２とは、それぞれ別個の糸を用いてもよいが、本実施形態では、後述するように、同一の糸で構成されている。
【００３１】
編込み用糸１２１，１２２は、最初に、その先端を編込み開始端の第１の毛束１に結着されて結着部１３Ａが形成されている。本実施形態では、第１の毛束１の結着部１３Ａは、編込み用糸１２１，１２２だけを用いて形成されているが、芯糸１１の基端を編込み用糸１２１，１２２共に第１の毛束１に結着することで結着部１３Ａを形成してもよい。この結着部１３Ａは、編込み用糸１２１，１２２又は該編込み用糸１２１，１２２と芯糸１１による輪（結び目）１３を第１の毛束１のなるべく根元付近に近づけることで形成する。編込み部２０の両端の毛束は、編込み用糸１２１，１２２で結束されている。
【００３２】
以上のように構成されるかつら取付部の編込み構造は、適宜の間隔で各位置の複数本の毛髪を取り纏めて毛束とし各毛束を順次一方向に重ね合せることで連接して形成する集束毛１０と、集束毛１０に重ね合わせて配設する芯糸１１と、集束毛１０と芯糸１１の外周を結束する２本の編込み用糸１２１，１２２と、で成る。
２本の編込み用糸１２１，１２２は、撚りを掛けられてなる撚り部１２ａ，１２ｃを有し、該撚り部１２ａ，１２ｃが集束毛１０に対して毛束の根元ｋとは反対側に沿って略一列状に交互に配列されている。そして、２本の編込み用糸１２１，１２２は、互いに隣接する二つの毛束の根元ｋ，ｋ同士間に対応している二つの撚り部１２ａ，１２ｃのうち、一方の撚り部から延びる１本の編込み用糸１２１と他方の撚り部から延びる１本の編込み用糸１２２とが、毛束の根元同士間を通っている。
【００３３】
編込み用糸１２１，１２２による結束は詳細は後述するが、この実施形態では、２本の編込み用糸１２１，１２２に撚りを掛けて間隙部１２ｂと該間隙部１２ｂの前後に撚り部１２ａ及び１２ｃを作り、間隙部１２ｂに集束毛１０と２本の芯糸１１とを通して広がり部を縮径して結束してから、さらに編込み用糸１２１，１２２のＶの広がり部１２ｄに上から下に通される。かつら取付部１００は、編込み終了端Ｂ１で後述する編込み張出部２０Ａを網掛けし結束してから折り返され、編込み用糸１２１，１２２で束ねられている。
【００３４】
次に、上記かつら取付部１００の形成方法の一例を説明する。
このかつら取付部１００を形成するには、下記に詳述するが、かつら装着者の頭部の薄毛領域の周辺に生えている頭髪を複数本取り纏めて毛束とし、この毛束をかつらベースの輪郭に沿って適宜間隔で順次に取り出し、各毛束同士を一方向に向けて互いに重ね合わせることで線状に連接して集束毛を形成する。そして、例えば２本の芯糸を全長に亙って集束毛と重ね合わせると共に、重ね合わせた集束毛と芯糸との外周を、例えば２本の編み込み用糸で結束することで、連続した編込み部を形成するものである。
【００３５】
この実施形態によるかつら取付部の形成方法により取付部を形成すれば、芯糸１１と毛束の重ね合わせの連続である集束毛１０とが、例えば２本の編込み用糸１２１，１２２で結束され、所定の編込み開始端Ａ１から編込み終了端Ｂ１に至り１本の綱状に連続する編込み部２０をかつら装着者の頭部に形成することができる。従って、毛束１，２，３，・・・・，ｎ−３，ｎ−２，ｎ−１，ｎを介して芯糸１１が頭部にしっかりと固定され、且つかつらをかがり糸でかがる場合に、編込み部２０の中から芯糸１１のみが括られてしまうことが無いかつら取付部１００が形成される。
【００３６】
この実施形態に係るかつら取付部の形成方法では、かつら装着者の頭部の薄毛領域が図１に示すＵ形状である場合に、符号１００で示すＵ状にかつら取付部を形成する手順を示す。この実施形態では、かつら取付部の形成開始端（編込み開始端）Ａ１は、左側のこめかみの上の生え際とし、かつら取付部の形成終了端（編込み終了端）Ｂ１は、右側のこめかみの上の生え際付近、又はこれより例えば１０ｍｍ程度引っ込んだ位置とする。
この実施形態に係るかつらの固定方法は、上記かつら取付部の形成方法によって形成されたかつら取付部１００を利用してかつらを固定するものである。
【００３７】
第１の実施形態に係るかつら取付部の形成方法は、次の工程を有している。
第１の工程：かつら装着者の頭部にかつら取付部を形成する領域を決定する。
第２の工程：頭部のかつら取付部の形成を開始する位置の複数本の毛髪を取り纏めて第１の毛束とする。
第３の工程：糸巻冶具（リール）から巻き糸を引き出して、先端側の糸部を芯糸とし、芯糸に続く糸巻冶具側の糸部を編込み用糸とし、これらの境目で輪を形成して第１の毛束の根元に縛ることで、結着部を形成する。
第４の工程：第１の毛束に沿って芯糸を重ね合わせる。
第５の工程：第１の毛束に隣接した位置の複数本の毛髪を取り纏めて第２の毛束とする。
第６の工程：第２の毛束を第１の毛束及び芯糸に重ね合わせこれらの集合を集束毛とする。
第７の工程：毛束合流部の集束毛と芯糸と取り込んだ毛束とを集束した集束帯を２本の編込み用糸で巻回して結束すると共に、絡合部で２本の編込み用糸を互いに絡合させることで、編込み部を形成する。
第８の工程：以後同様に、終端のかつら取付部の形成を終了する所定位置まで、順次、次の毛束合流部の集束帯を２本の編込み用糸で巻回して結束すると共に、２本の編込み用糸を絡合部で互いに絡合させる作業を繰り返して、一本の綱状に連続する編込み部を形成する。
第９の工程：かつら取付部の形成を終了する位置に形成された棒状の編込み張出部を折り返して末端側の編込み部に縫い合わせることで、かつら取付部を完成する。
第１０の工程：形成したかつら取付部を利用してかかがり糸によりかつらを固定する。
以下、各工程について詳述する。
【００３８】
〔第１の工程〕
まず、装着者の頭部に、図示しないかつらを正しい装着位置となるように載せ、額の中央にマーカーで例えば十字に印ａを付け、かつらの内面にも対応する位置に印を付ける。
かつらを頭部に載せたまま位置ずれが生じないように注意深く押さえ、図１、図４（ａ）に示すように、頭皮にかつらの輪郭を示す線ｂを例えば破線にてマーカーで印し、線ｂをもってかつら取付部の形成位置と決定する。
そして、図４（ａ）に示すように、かつらの輪郭線ｂより上側の自毛を水を入れたトリガースプレー等で湿らせ櫛で梳かしてから、かつらの輪郭線ｂを境にその上側の自毛をシングルピンｃでブロッキングする。
【００３９】
図４（ａ）及び（ｂ）に明瞭に示されているように、かつら取付部の形成開始端（編込み開始端）Ａ１側から離隔した側方に例えば支柱３０を立て、支柱３０に二つの糸巻冶具、例えばリール３１，３２を上下配置に設ける。この際、Ａ１点の接触表面に対するリール３１，３２から繰り出す糸の平面角αが余り大きく開かないようにセットする。
【００４０】
次に、図４（ｂ）に示すように、各リール３１，３２からそれぞれリール糸Ｓを引き出し、該２本のリール糸Ｓの先端を揃え、２本のリール糸Ｓを合わせて適宜の中程を装着者の編込み開始端にあてがい固定した状態で、２本のリール糸Ｓの先端側をマーカーで印されたかつらの輪郭線ｂに沿って編込み終了端Ｂ１まで導き、さらに、この編込み終了端Ｂ１から２本のリール糸Ｓの先端までの距離を例えば１００〜２００ｍｍ程度長く採寸する。
【００４１】
上記のようにして、２本のリール糸について編込み開始端Ａ１にあてがう位置を決定する。本明細書においては、リール糸Ｓの編込み開始端Ａ１より先端側にあるリール糸を芯糸１１、編込み開始端Ａ１よりリール側にあるリール糸を編込み用糸１２１，１２２とする。編込み用糸１２１，１２２の先端部、すなわち、芯糸１１の基端を編込み開始端Ａ１にあてがい、この位置がずれないように、図４（ｃ）に示すように、編込み用糸１２１，１２２で輪１３を作る。輪１３の作り方は、第１の毛束１を緩みが生じないようしっかり縛れる二重或いは三重の輪とするのがよい。輪１３は縮径できればよく、作り方はこれに限定されない。リール糸は、天然繊維、化学繊維、金属繊維、ゴム状繊維などの撚り糸、テグス、ワイヤーもしくはこれらの組合せからなるものを適宜選択し得る。
【００４２】
〔第２の工程〕
第２の工程では、頭部のかつら取付部の形成開始端Ａ１において、複数本の毛髪を取り纏めて第１の毛束１とするが、毛束を結着することは要しない。
かつら取付部の形成を開始する位置は、装着者の左こめかみ部付近に設定し、これをかつら取付部形成開始端（編込み開始端）Ａ１側とする。この領域に生えている複数本の自毛をコームで掬い取って纏めることで第１の毛束１とする。
【００４３】
〔第３の工程〕
第３の工程では、図４（ｄ）に示すように、第１の毛束１の根元を、各リールから引き出した２本のリール糸Ｓで作った輪１３で取り囲み、図４（ｅ）に示すように、この輪１３を縮径していき第１の毛束１のできるだけ根元付近を緊縛して結着部１３Ａとする。緊縛位置が第１の毛束１の根元から上方へ位置ずれしてしまう虞がある場合には瞬間接着剤を少量塗って位置ずれを止める。
【００４４】
図４（ａ）に示すように、２本のリール糸Ｓで第１の毛束１を縛った状態で、先端側部分を芯糸１１として垂れさせる。リール３１，３２から結着部１３Ａまで繰り出された２本の糸は編込み用糸１２１，１２２として、後述する以後の編込み操作において毛束１，２，３，・・・・，ｎ−３，ｎ−２，ｎ−１，ｎの重ね合わせからなる集束毛１０と芯糸１１とを結束するために用いる。この構成によれば、芯糸１１と編込み用糸１２１，１２２は２本のリール糸Ｓで結着部１３Ａを境界として前後に形成されている。
【００４５】
〔第４の工程〕
第４の工程は、第１の毛束１に沿って芯糸１１を重ね合わせる段階である。
図５（ａ）に示すように、第１の毛束１に芯糸１１を添わせてこれらを重ね合わせ、図５（ｂ）に示すように、頭皮から離れた位置で保持する。頭皮から垂直方向に離れるように保持するのは、次の第５の工程における第２の毛束２を取り込む際に邪魔にならないようにする配慮からであり、必要的な手順ではない。なお、第１の毛束１と芯糸１１とを重ね合わせた段階で、矢印ｄに示すように指で右回り（時計回り）の捻りを入れて保持するようにしてもよい。
【００４６】
〔第５の工程〕
第５の工程は、第１の毛束１に隣接した位置の複数本の毛髪を取り纏めて第２の毛束２とする段階である。
図５（ｃ）に示すように、かつらの輪郭線ｂに沿って第１の毛束１から隣接した位置の複数本の自毛を取り纏めて第２の毛束２とする。第２の毛束２及びそれ以降の毛束は、第１の毛束１よりも自毛数が少なくてよい。
【００４７】
〔第６の工程〕
第６の工程では、第２の毛束２を第１の毛束１及び芯糸１１に重ね合せた毛束同士の集合を集束毛１０として形成する。図５（ｄ）に示すように、第２の毛束２を、上記第１の毛束１及び芯糸１１に重ね合わせる。ここで、２つ以上の毛束の重ね合わせを集束毛１０という。第１の毛束１と第２の毛束２の重ね合わせ、すなわち集束毛１０は、かつらの輪郭線ｂに沿って寝かせながら行う。そして、矢印ｅに示すように集束毛１０に右回り（時計回り）の捻りを加える。このとき、集束毛１０に沿って配置した芯糸１１も一緒に捻りが加えられる。従って、集束毛１０は第２の毛束２の上に重なる。このように、次段の毛束２，３，・・・を順次、集束毛１０に重ね合わせた領域を、毛束合流部と称している。以後、集束毛１０に第３の毛束、第４の毛束、・・・と重ねていくことで、連接状態で集束毛１０は延長されていく。毛束１，２，３，・・・・，ｎ−３，ｎ−２，ｎ−１，ｎの重ね合わせからなる集束毛１０は、各毛束が数センチメートル、例えば自毛を５ｃｍとすれば、各毛束も約５ｃｍの長さであることが前提である。従って、毛束１と毛束２とが重なって最初の集束毛１０を構成し、次々に毛束が重ね合わされていき集束毛１０が延長されていく。例えば、第１の毛束１は第４〜第５の毛束の付近で途絶え、第２の毛束２は第５〜第６の毛束の付近で途絶え、そのようにして、先に重ね合わされた毛束は次々に途絶えるが、新しい毛束が重ね合わされることで互いに連接されていき、全体として１本の線状に連続した集束毛１０が延長されていく。この際、芯糸１１は、互いに連接されて延長される集束毛１０に沿って、各毛束の集束を支持し且つ連接を補強しながら集束毛１０と共に、重ね合わされて共に捻じり合わされつつ巻き込まれて、連続して延長されていくことになる。なお、毛束合流部において、集束毛と芯糸と取り込んだ毛束とを集束することで形成される帯状体を集束帯と呼称している。
【００４８】
〔第７の工程〕
第７の工程は、集束毛１０と芯糸１１とを外側から編込み用糸１２１，１２２で結束し、編込み部２０を形成する段階である。
図６（ａ）〜（ｇ）に示すように、集束毛１０に捻りを入れた部分に対して２本の編込み用糸１２１，１２２で外側から締め付けて束ねる。このとき、集束毛１０と芯糸１１を外側から締め付けて束ねた状態でかつらの輪郭線ｂに沿うように、技術者の一方の手で保持し、他方の手で編込み用糸１２１，１２２に撚りを入れる操作を行う。この場合、２本の編込み用糸１２１，１２２で束ねる前に、第１の毛束１及び芯糸１１と、第２の毛束２とを重ね合わせた時点で右回り（時計回り）に捻りを加える（図５（ｂ）,（ｄ）参照）。これによって、集束毛１０を第１の毛束１及び第２の毛束２の根元に可能な限り近づけた状態に保つことができ、集束毛１０は第１の毛束１及び第２の毛束２の上に限りなく重なる。
【００４９】
ここで、２本の編込み用糸１２１，１２２によって集束毛１０と芯糸１１を外側から結束する手順について説明する。
図４（ａ）に示すように、２本の編込み用糸１２１，１２２は、上下２つのリールによってそれぞれにテンションをかけられて頭部方向へ間隔を次第に狭めた鋭角となるように繰り出される。技術者は、一方の手、例えば左手でのあや取り操作によって、図６（ａ）に示すように２本の編込み用糸１２１，１２２に複数回撚りを掛ける。図６（ａ）では３回撚っている。このように、２本の編込み用糸１２１，１２２に撚りを加えて、中間に間隙部１２ｂをもたせ且つ該間隙部１２ｂの前側に一方向の撚り部１２ａを形成するとともに、後側に逆方向の撚り部１２ｃを形成する。ここでは、撚り部１２ａ，１２ｃは３巻きとなる。左手でのあや取り操作において、間隙部１２ｂに対し集束毛１０と芯糸１１とを矢印ｆのように引き入れる。この場合、間隙部１２ｂに差し入れた左手の指を第１、第２の毛束１，２の根元に近づけることで前の撚り部１２ａを第１、第２の毛束１，２の根元に密着させ指で押さえて集束毛１０と芯糸１１とを矢印ｆのように引き入れる。次いで、前の撚り部１２ａを第１、第２の毛束１，２の根元への密着を確保したままで、図６（ｂ）に示すように、後の撚り部１２ｃを最も近い毛束、ここでは第２の毛束２の根元近傍に移行させて、間隙部１２ｂを縮径させることで２本の編込み用糸１２１，１２２により集束毛１０と芯糸１１とを外周から締め付けて結束する。図３（ｂ）中の符号６ｂで囲まれた部分は、図６（ａ）と（ｂ）の工程が終了したときに形成される。
続いて、後の撚り部１２ｃを第１、第２の毛束１，２の根元へ密着させたまま、図６（ｃ）に示すように、リール方向にＶに広がる２本の編込み用糸１２のＶの広がり部１２ｄに、第１、第２の毛束１，２及び芯糸１１を矢印ｇのように上から下に通し、図６（ｄ）に示すように、第１、第２の毛束１，２及び芯糸１１を２本の編込み用糸１２のＶの広がり部に押さえ付ける。図３（ｂ）中の符号６ｄで囲まれた部分は、図６（ｃ）と（ｄ）の工程が終了したときに形成される。図３（ｂ）中の符号６ｆで囲まれた部分は、図６（ｆ）の工程が終了したときに形成される。
このようにして、図３（ｂ）中の符号１０ａで囲まれた毛束合流部１０ａは、２本の編込み用糸１２１，１２２が巻回され締め付けられ、そして、図３（ｂ）中の符号１０ｂで囲まれた絡合部１０ｂは、前記２本の編込み用糸１２１，１２２の両端を支持する、前後一対の撚り部１２ａと１２ｃ、並びに次段の前側の撚り部１２ａとが配列される。
【００５０】
〔第８の工程〕
第８の工程は、第３の毛束３の取り纏めから図４（ｂ）に示す編込み終了端Ｂ１に至る迄、同様の作業を繰り返して、一本の綱状に連続する編込み部２０を形成する段階である。この工程では、第７の工程と同様の作業を繰り返し、第３以降の毛束３，・・・，ｎ-３，ｎ-２，ｎ-１，ｎについて、順次、毛束の連接により、毛束の重ね合わせを行いながら、芯糸１１を絡めつつ集束毛１０を延長し、毛束を重ね合わせる毎に編込み用糸１２１，１２２で第７の工程と同様の作業を繰り返し結束して編込み部２０を形成していく。すなわち、第７段階の以降において、図６（ｅ）〜（ｇ）に示すように、集束毛１０及び芯糸１１と共に編込み用糸１２１，１２２で結束した編込み部２０に、さらに第３の毛束３を取り込み、編込み用糸１２１，１２２で芯糸１１と共に結着することで、編込み部２０をさらに延長して形成し、以後、かつら取付部の形成を終了する位置まで、かつらの輪郭線ｂに沿って適宜間隔で第４の毛束、第５の毛束、・・・第ｎの毛束を順次に取り出し、各毛束を取り出す毎に、かつらの輪郭線ｂに沿わせた集束毛１０及び芯糸１１に重ね合わせて編込み部２０を延長させる。
【００５１】
この編込み作業の際、上述したように、２本の編込み用糸１２１，１２２で中間に間隙部１２ｂをもたせ、該間隙部１２ｂの前後に３回の撚り部１２ａ，１２ｃを形成し、間隙部１２ｂに集束毛１０と芯糸１１とを矢印ｆのように通して間隙部１２ｂを縮径することを１回行って、編込み用糸１２１，１２２で外側から締め付けて結束したら、２本の編込み用糸１２１，１２２に撚りを加えないで、編込み用糸１２１，１２２のＶの広がり部１２ｄに集束毛１０と芯糸１１とを矢印ｇのように上から下へ通して押さえ付ける。こうして、次々に新しい毛束を取り纏めて集束毛１０と芯糸１１とに重ね合わせたら、これらを右回り（時計回り）に捻ってから編込み用糸１２１，１２２で外側から締め付けて束ねると、かつらの輪郭線ｂに沿って頭皮に近接し又は密着した編込み部２０を連続して形成していくことができる。編込み部２０は、多くの毛束によって頭部に固定され、編込み部２０を編むときの力は多くの毛束に分散される。編込み部２０の完成したものがかつら取付部１００である。
【００５２】
上記の編込み方法によれば、２本の編込み用糸１２１，１２２による結束は、２本の編込み用糸１２１，１２２に３回撚りを掛けて、中間に間隙部１２ｂをもたせ且つ間隙部１２ｂの前側と後側に一対の撚り部１２ａ，１２ｃを形成し、前側の撚り部１２ａを次段の毛束の毛束合流部１０ａにきつく寄せてから、該毛束合流部１０ａを、間隙部１２ｂに上から下へ通して上に復帰させることで、前側の撚り部を集束毛の上に巻き込むと共に、間隙部１２ｂを構成していた片側の１本の編込み用糸１２１，１２２で毛束合流部を一度巻きする。さらに、毛束合流部１０ａを後側の撚り部１２ｃと２本の編込み用糸１２１，１２２とのＶの広がり部１２ｄに上から下へ通して上に復帰させることで、片側の一本の編込み用糸１２１，１２２で毛束合流部１０ａを二度巻きする。以下同様に次段の毛束を取り纏めて集束毛１０に重ね合せる毎に、同じ編込み操作を繰り返して、各毛束合流部１０ａを計２本の編込み用糸で締め付け束ねる。前側の撚り部１２ａと後側の撚り部１２ｃは、集束毛１０の略一列状に且つ交互の配列となる。また、互いに隣接する前側の撚り部１２ａと後側の撚り部１２ｃは、間隙部１２ｂに通した毛束合流部１０ａに対応する反対側に位置する。この実施形態では、撚る回数を３回としているので、図３に示す網目構造になるが、撚る回数を奇数回とするときは、撚り部１２ａ，１２ｃの巻数が変わるだけで網目の通り方はこの実施形態と同様になり、撚り部１２ａ，１２ｃは集束毛１０の上に位置する。
【００５３】
〔第９の工程〕
かつら取付部の形成を終了する位置まで順次、連続して編込み部２０を形成すると、最後に棒状の編込み張出部２０Ａが形成されることになる。第９の工程では、このようにして形成された編込み張出部２０Ａを折り返して終端側の編込み部２０に縫い合わせることで、かつら取付部として完成する。
すなわち、最終段階では、図７（ａ）に示すように、かつら取付部の形成を終了する位置において余る集束毛１０と芯糸１１とを集束毛１０の先端付近まで編込み用糸１２１，１２２で締め付けて束ねる（空編みする）ことで、棒状の終端張出部、すなわち編込み張出部２０Ａを形成し、図７（ｂ）に示すように、編込み張出部２０Ａをかつら取付部の形成終了位置から折り返し、形成終了位置まで形成したかつら取付部１００の終端側の編込み部２０に対し頭頂側に重ねて縫い合わせる。なお、最後の毛束の毛束合流部の集束帯に対する２本の編込み用糸１２１，１２２で巻回しての結束は、編込み張出部２０Ａを折り返した際に網掛けが外れないように複数回の結束を行うのがよい。
編込み張出部２０Ａを折り返して縫い合わせるには、１本の編込み用糸１２２（又は１２１）をリールから断ち切り、該断ち切った編込み用糸１２２を残り１本の編込み用糸１２１に緊縛することを２回行ってから、断ち切った編込み用糸１２２の余分を切除し、次いで、残り１本の編込み用糸１２１（又は１２２）についても適当な長さを残してリールから断ち切る。
【００５４】
そして、後から断ち切った編込み用糸１２１の先端を、手芸用のＣ形針（図９参照）の目に挿通して係止し、Ｃ形針を用いてかつら取付部１００の下側の裏側から上側へ向かって通し、かつら取付部１００と編込み張出部２０Ａとを束ねるように編込み用糸１２１を掛け回すことを反復して、上記折り返した編込み張出部２０Ａをかつら取付部１００に括りつける。かつら取付部１００と編込み張出部２０Ａとを束ねるように編込み用糸１２１を掛け回すことは、上記折り返した編込み張出部２０Ａの先端（こめかみから離れた側）よりこめかみの方向に向かって行い、かつら取付部１００の終端に到達したら逆方向に重複して行う。これにより、編込み張出部２０Ａをかつら取付部１００にしっかり固定する。図７（ｂ）に示すように、括りつけが終了したら、編込み用糸と２本の芯糸１１との結着を複数回行い、編込み用糸１２１と２本の芯糸１１の余分を切断する。
【００５５】
以上でかつら取付部１００の形成を終了するが、必要に応じて、編込み用糸とＣ形針とを用いてかつら取付部の開始端から終了端まで締め付ける工程（以下、これを補助編込みと称する。）を追加してもよい。全体を点検して弛い個所が部分的にある場合にはその部分について、また全体的に弛い場合には全体について補助編込みを行う。この補助編込みは、後述する自毛が伸びることによってかつら取付部１００と頭部との一体感がなくなる弛みを解消するための補強編込みとは異なる。特に、ここで行う補助編込みが必要な場合とは、毛束の取り出し間隔が例えば３ｍｍよりも広くなった場合や、自毛が短いために集束毛としての重ね合わせ寸法が短いために編込み用糸１２２、１２１による編込みで十分な括りつけができず弛みやすい場合が該当する。
ここでの補助編込みは、新たな編込み用糸を用いてＣ形針にてかつら取付部の開始端から終了端まで締め付ける工程としてもよいが、上述した編込み用糸１２２、１２１の余分を切断せずに、該編込み用糸１２２、１２１の端部をＣ形針に括りつけて、編込み張出部２０Ａの端からかつら取付部１００の開始端までを締め付けてもよい。この締め付け操作は、編込み張出部２０Ａのかつら取付部１００への括りつけと同様にして、各毛束の立ち上がり部同士間で行うが、毛束を単純に巻き付けて締め付けるのではなく、１個所ずつ緊縛するものとする。
【００５６】
〔第１０の工程〕
上記のようにしてかつら装着者の頭部に形成されたかつら取付部１００を利用して、かがり糸によりかつら装着者の頭部にかつらが固定される。
図７（ｃ）に示すように、かつら取付部を形成したら、かがり糸２１を用いてかつら２００をかつら取付部１００に取り付ける。まず、２つのＣ形針にかつら取付部の長さの例えば約３倍の長さの各かがり糸の一端をそれぞれ係止し、一方のＣ形針をかつら取付部の一端に括りつけ、他方のＣ形針をかつら取付部の他端に括りつける。そして、かつら装着者の頭部にかつらを載せ、当初の工程でつけた額の印とかつら２００の内面の印とを合わせ、かつら２００の周辺をかつら取付部の内縁に重なるように位置させる。次いで、かつら取付部の一端に括りつけたＣ形針を、かつら取付部の裏側に潜らせ、さらにかつら２００の周縁部に縫い通すことを複数回繰り返し、かがり糸によりかつら取付部とかつら２００の周縁部とを縫い合わせる。同様に、かつら取付部の他端に括りつけたＣ形針を、同様の操作でかつら２００の周縁部に縫い通すことを複数回繰り返し、かがり糸によりかつら取付部とかつら２００の周縁部とを縫い合わせる。以後、後頭部に向かって左右交互にかがり糸によりかつら取付部とかつら２００の周縁部とを縫い合わせていく。かがり糸は、リール糸と同じ材質のものが使用できる。
【００５７】
かつらベースの額側の部分は、かつら取付部が無いので、両面テープあるいは接着剤により固定される。
【００５８】
上記構成のかつら取付部の形成方法によれば、毛束を次々に重ね合わせて連接させる集束毛１０と、該集束毛１０に沿って配置する芯糸１１とを、各毛束間で２本の編込み用糸１２１，１２２で結束することで、編込み部２０を形成していくものであり、毛束１，２，３，・・・・，ｎ−３，ｎ−２，ｎ−１，ｎを介して芯糸１１が頭部にしっかりと固定されてかつら取付部１００が形成される。編込み用糸１２１，１２２が芯糸１１と集束毛１０とを一体的に結束することで編込み部２０を形成するので、かつら取付部とかつらとをかがり糸でかがる場合に、かがり糸が編込み部内の芯糸１１のみを誤って括って引っ張り出してしまうようなことが無く、強固なかつら取付部１００が形成される。
【００５９】
上記かつら取付部の編込み構造及び編込み方法によれば、編込み部２０は、多数本の毛髪を集めて連続した綱状体になり、且つ芯糸１１を絡み通しているので非常に強度が大きいものとなる。そして、各毛束間で、芯糸１１と共に連接した集束毛１０を編込み用糸で外周から結束して編込み部２０を構成したものであるから、位置を異にして取り纏めた毛束と毛束が密着され、また毛束と芯糸１１が密着され、編込み部２０に外力が加わっても、毛束と毛束の相互間に、また毛束と芯糸１１の相互間にずれが生じることがない。そして、各毛束間で行う編込み用糸による結束は、従来のような毛束間で編込みを何回も繰り返して距離を長くとってしまうことはないので、毛束の間隔を小さくすることができるから、従来に比べて毛束を数多く設けることができ、該多数の毛束によってかつら取付部を頭部に強固に固定することができる。
【００６０】
このように、従来に比し多数の毛束によって連接した集束毛１０を頭部に強固に固定できるから、かつら取付部１００にかつらをかがり糸で取り付ける際に加わる外力やかつら取付後にかつらに外力が加わる場合、この外力は、連続した集束毛１０によって多くの毛束に伝わるように分散され、各毛束に係る引張力が小さく抑制され、頭皮に突っ張り感を与えることが無くかつらとの一体感が向上する。
【００６１】
次に、かつら取付部の補強編込み方法について図８、図９を参照して説明する。
図８（ａ）は、頭部に形成した直後のかつら取付部の形成開始端を含む一部分の模式的な斜視図である。なお、図８、図９では、かつら取付部を形成するための編込み方法を示す図面表現を省略し、編込み用糸や芯糸を図示していない。図８（ａ）に示すかつら取付部１００は、形成した直後であるので頭皮表面Ｓからの毛束の距離が短く、取付部１００が頭皮側により密着している。このため、図８（ａ）に示すかつら取付部１００に固定したかつら２００は、頭部との一体感がある。
なお、図８（ａ）に示すかつら取付部は、本発明のかつら取付部の形成方法によって形成されたかつら取付部を含むが、これに限ることなく、従来提案されているかつら取付部、とりわけ、特許文献１〜４に示すかつら取付部の形成方法によって形成されたかつら取付部を含む。すなわち、本発明のかつら取付部の補強編込み方法は、全てのかつら取付部に対して適用され得る。
【００６２】
図７（ｃ）に示すように、かつら取付部１００にかつら２００を取り付けた後、２週間乃至１ヶ月程度経過すると、かつら取付部は、図８（ａ）に示すように各毛束の立ち上がり部が短い状態から、図８（ｂ）に示すように、各毛束の根元部分ｋが伸びて頭皮Ｓからの高さ寸法Ｈが大きくなる。このため、かつら取付部１００が装着者の頭部から浮いてしまい、一体感が無くなる。
本発明にあっては、かつら取付部１００と頭部との一体感を取り戻すには、かつらを取り付けているかがり糸を切ってかつら２００（図７（ｃ））を一旦取り外し、かつら取付部１００に対して以下に述べる補強編込みを行うことで、図８（ｃ）に示すように、各毛束の立ち上がり部をくの字状に折れ曲げた状態にして緊縛する作業だけで、各毛束の立ち上がり部を短い状態に戻すことができる。特許文献１〜４に示す従来方式では、かつら取付部を解体・解除して再構築することが必要であった。これに対して本発明では、単にかつらをかつら取付部から外すだけで、密着したかつら取付部が再現可能である。
【００６３】
〔かつら取付部の補強編込みの一例〕
かつら取付部の補強編込みの一例について図９を参照して説明する。
この実施形態によれば、かがり糸を切ってかつら２００を取り外した後、図９（ａ）に示すように、Ｃ形針３３に括り糸３４を通して、Ｃ形針３３で複数の毛束、図示例では三つの毛束を一纏めにして、これらの根元部分を矢印Ｘで示すように返し縫い方式でループ状に巻回して縮径し、図９（ｂ）に示すように、括り糸３４のループによって括られた両端の毛束の根元部分ｋをくの字に屈曲させて高さを低くすることをかつら取付部１００の全体又は浮きのある部分に行う。
【００６４】
このようにすると、かつら取付部１００を再構築し、頭部に固定している毛束の根元部分を短くしたものと実質的に同等の効果が得られる。再生したかつら取付部１００にかつら２００を再取り付けすると、かつら２００の浮きが抑制されて装着者の頭部との一体感が得られる。このように、短時間で且つ簡単な作業でかつら取付部１００を再生でき、しかも、再びかつらの浮きが生じた場合にはこのような再生を再度行うことができるので、かつら２００が浮いて外観が不自然になることで生じるかつら装着者の不安感を解消することができる。
【００６５】
〔かつら取付部の補強編込みの別の例〕
この方法によれば、かがり糸を切ってかつら２００（図７（ｃ））を取り外した後、図１０（ａ）に示すように、Ｃ形針３３に括り糸３４を係止し、図１０（ｂ）〜（ｇ）に示すように、Ｃ形針３３をかつら取付部１００に対して裏側から頭頂部側に通し、通す度に該通した位置で括り糸３４によりかつら取付部１００の緊縛を行いつつ返し縫いを行うことで、図８（ｃ）に示すように各毛束の立ち上がり部を短い状態に戻し、かつら取付部１００を頭皮に密着させ一体感を再生する。
【００６６】
以下この方法を詳述する。図１０に示す補強編込み方法は、毛束のピッチよりも大きい寸法で斜め縫い、緊縛、斜め返し縫い、緊縛を反復していく方法である。図１０では毛束の図示を省略しているが、複数個、例えば３個の毛束を一纏めにして括り糸で巻回していくことは、図９に示す方法と同様である。
【００６７】
まず、図１０（ａ）に示すように、かつら取付部１００の一端近傍に括り糸３４の端を緊縛する。この場合、括り糸３４を係止したＣ形針３３をかつら取付部１００に対し毛束の根元部分（以下、下位と称する。）から上位に向かってかつら取付部１００の裏側を通し、括り糸３４の端をループに開いてＣ形針３３を通し、さらに括り糸３４を強く引くことで該括り糸３４を図１０（ｂ）に示す緊縛部Ｍ１となるようにかつら取付部１００に括りつける。
【００６８】
次に、図１０（ｂ）に示すように、括りつけ位置の近傍でＣ形針３３をかつら取付部１００に対し下位から上位に向かってかつら取付部１００の裏側を通し、括り糸３４のかつら取付部１００を通過していない部分をＣ形針３３に二捲きして針先方向にＣ形針３３を抜き、さらに括り糸３４を強く引くことで、該括り糸３４を図１０（ｃ）に示す緊縛部Ｍ２となるようにかつら取付部１００に緊縛する。この補強編込み開始位置をポイントＰ１とする。
【００６９】
続いて、図１０（ｃ）に示すように、Ｃ形針３３をかつら取付部１００の裏側にポイントＰ２からポイントＰ３へ斜め上方向に通し、括り糸３４のポイントＰ３を通過していない部分をＣ形針３３に二捲きして針先方向にＣ形針３３を抜き、さらに括り糸３４をポイントＰ３を通過するように強く引くことで、該括り糸３４を図１０（ｄ）に示す緊縛部Ｍ３となるようにかつら取付部１００に括りつける。緊縛部Ｍ３を形成する際には、図１０（ｄ）に示すように指Ｆで括り糸３４を押さえて緊縛部Ｍ３の形成位置をポイントＰ３に来るように誘導する。
【００７０】
次に、図１０（ｄ）に示すように、返し縫いをするように、Ｃ形針３３をかつら取付部１００の裏側にポイントＰ４よりポイントＰ５へ斜め上方向に通し、括り糸３４のポイントＰ５を通過していない部分をＣ形針３３に二捲きして針先方向にＣ形針３３を抜き、さらに括り糸３４をポイントＰ５を通過するように強く引くことで、該括り糸３４を図１０（ｅ）に示す緊縛部Ｍ４となるようにかつら取付部１００に緊縛する。
【００７１】
続いて、図１０（ｅ）に示すように、Ｃ形針３３をかつら取付部１００の裏側にポイントＰ６よりポイントＰ７へ斜め上方向に通し、括り糸３４のポイントＰ７を通過していない部分をＣ形針３３に二捲きして針先方向にＣ形針３３を抜き、さらに括り糸３４をポイントＰ７を通過するように強く引くことで、該括り糸３４を図１０（ｆ）に示す緊縛部Ｍ５となるようにかつら取付部１００に緊縛する。緊縛部Ｍ５を形成する際は、図１０（ｆ）に示すように指Ｆで括り糸３４を押さえて緊縛部Ｍ５の形成位置をポイントＰ７に来るように誘導する。
【００７２】
そして、図１０（ｆ）に示すように、返し縫いをするように、Ｃ形針３３をかつら取付部１００の裏側にポイントＰ８よりポイントＰ９へ斜め上方向に通し、括り糸３４のポイントＰ９を通過していない部分をＣ形針３３に二捲きして針先方向にＣ形針３３を抜き、さらに括り糸３４をポイントＰ９を通過するように強く引くことで、該括り糸３４を図１０（ｇ）に示す緊縛部Ｍ６となるようにかつら取付部１００に緊縛する。
【００７３】
以降、縫い進みと返し縫いを反復して行い、かつＣ形針３３をかつら取付部１００の裏側に通す度に括り糸３４をかつら取付部１００に緊縛して補強編込みを進行していく。そして、かつら取付部１００の他端に到達したら、括り糸３４をＣ形針３３から切り離して二本に分け堅結びを２回行ってから余分を切除する。以上で、補強編込みを終了する。
この補強編込み方法によれば、隣接する複数の毛束の根元部分を括り糸で返し縫い方式でループ状に囲繞すると共に、上記編込み部に対しても巻回し、上記毛束の根元部分と上記編込み部とを共締めして緊縛することで毛束の根元部分をくの字に屈曲させて、かつら取付部を頭皮に密着させることができる。
【００７４】
なお、図１０中の、Ｓ１〜Ｓ４はいずれも適宜寸法であって良い。例えばポイントＰ１〜Ｐ２間の距離Ｓ１は５〜１５ｍｍ位、ポイントＰ２〜Ｐ３間のＳ２は１０〜２５ｍｍ位、ポイントＰ３〜Ｐ４間のＳ３は０〜１０ｍｍ位、ポイントＰ４〜Ｐ５間のＳ４は１０〜１５ｍｍ位とすることができる。また、ポイントＰ６をポイントＰ３よりも左側にとってもよい。要は、Ｃ形針３３をかつら取付部１００の裏側に通す度に緊縛部を設けながら、かつ返し縫いを入れながら、適宜寸法で縫い進んでいけばよい。また、この補強編込みは、かつら取付部１００の全体でなく、浮きのある部分だけに行うことでもよい。
【００７５】
〔第２の実施形態〕
図１１は、薄毛領域が額から頭頂に至るＵ字形に存在する場合において、後頭部側だけにかつら取付部１００Ａを形成する例である。符号Ａ２が編込み開始端、符号Ｂ２が編込み終了端であり、頭部の上方から見て反時計回りに編み込んでいく。かつらは、頭部の薄毛領域を覆ってかつらの後部をかつら取付部１００Ａにかがり糸で縫い合わされる。かつらは、頭部の薄毛領域の側方に生えている自毛を例えばストッパ等の挟着具で固定し、額部に両面テープあるいは接着剤により貼り付けることで固定される。
この実施例では、ストッパを外し、両面テープあるいは接着剤を剥がすと、かつらを後頭部側へ開けられるので、頭皮を直接洗うことができる。
【００７６】
〔第３の実施形態〕
図１２は、薄毛領域が頭頂に円形に存在する場合において、薄毛領域を一回りするかつら取付部１００Ｂを示す。かつら取付部１００Ｂは、エンドレスであり編込み開始端Ａ３と編込み終了端Ｂ４は一致する。編込み開始端をどの位置にしてもよいが、なるべく額部から避けた位置とするのがよい。編込み用糸は、編込み終了端に到達すると、もはや編込みを続行できないので、芯糸と結着して余分を切除する。
かつらは、頭部の薄毛領域を大きく覆い、かつらの周縁はかつら取付部１００Ｂの内輪郭に密着する。かつらの周縁とかつら取付部１００Ｂとをかがり糸でかがることで、かつらを固定できる。
【００７７】
〔第４の実施形態〕
図１３は、薄毛領域が頭頂に円形に存在する場合において、額側のみにかつら取付部１００Ｃを形成する例である。符号Ａ４が編込み開始端、符号Ｂ４が編込み終了端である。かつらは、額側から頭部の薄毛領域を大きく覆い、かつらの前側周縁部をかつら取付部１００Ｃにかがり糸で縫い合わされる。かつらベースの後半周縁部は自毛に対してストッパで固定される。
この実施例では、ストッパを外すと、かつらを額側へ開けられるので、頭部を直接洗うことができる。
【００７８】
〔第５の実施形態〕
図１４は、薄毛領域が額から後頭部まで存在する場合において、薄毛領域の境界線に沿って両側頭部に対向一対に形成するかつら取付部１００Ｄ,１００Ｄを示す。符号Ａ５が編込み開始端、符号Ｂ５が編込み終了端である。かつらは、額側から後頭部の薄毛領域を大きく覆い、かつらの両側周縁部を左右一対のかつら取付部１００Ｄ,１００Ｄにかがり糸で縫い合わされる。かつらの前部及び後部は、両面テープあるいは接着剤により固定される。
この実施例では、両面テープあるいは接着剤を剥がすと、額側からかつらベースの内側に手を入れて薄毛領域を直接洗うことができる。
【００７９】
〔第６の実施形態〕
図１５は、第１の実施形態と異なる編込み構造を示す。この実施形態のかつら取付部の編込み構造についても、第１の実施形態と同様に、適宜の間隔でかつら取付部に沿って複数本の毛髪を取り纏めて毛束とし各毛束を順次一方向に重ね合わせることで連接して形成する集束毛１０と、集束毛１０に重ね合わせてかつら取付部の全長に亙って配設する芯糸１１と、集束毛１０及び芯糸１１を結束する２本の編込み用糸１２と、を有し、集束毛１０及び芯糸１１を編込み用糸１２１，１２２で外周から囲繞し結束することで編込み部が構成される。なお、編込み用糸１２１，１２２でどのように編み込んでいるかがわかりやすくするために、図１５において、編込み用糸１２２にハッチング様の斜め線を付加して編込み用糸１２１と区別がつき易くしている。
編込み部は、毛束を取り込んで集束毛と合流させる毛束合流部１０ａと、毛束合流部１０ａに対応した位置に配置される絡合部１０ｂとを有する。毛束合流部１０ａでは集束毛１０と芯糸１１と取り込んだ毛束とを集束した集束帯を２本の編込み用糸１２１，１２２で巻回して結束すると共に、絡合部１０ｂでは２本の編込み用糸１２１，１２２を互いに絡合させることで、編込み部が、かつら取付部の全長に形成されている。
この実施形態のかつら取付部の編込み構造及び編込み方法は、以下の点が第１の実施形態と相違している。第１の実施形態では、図６（ａ）に示す工程で、撚る回数を３回とし、集束毛１０と芯糸１１とを、間隙部１２ｄに対して矢印ｆのように入れ、間隙部を縮径してから、さらに図６（ｃ）に示すように後側の撚り部１２ｃと２本の編込み用糸１２１，１２２とのＶの広がり部１２ｄに矢印ｇのように入れて編み込こんでいる。この実施形態においても、全く同じ編み込みを行うものであるが、図６（ａ）に示す工程で、撚る回数を４回とするものである。撚る回数を３回とするときは図３に示す網目構造になり、撚る回数を４回とするときは図１３に示す網目構造になる。この実施形態は、撚る回数を４回としているが、撚る回数を偶数とするときは、撚り部１２ａ，１２ｃの巻数が変わるだけで網目の通り方はこの実施形態と同様になる。撚り部１２ａ，１２ｃは寄せられることで集束毛１０の上に位置する。
【００８０】
〔第７の実施形態〕
図１６に示すように、この実施形態のかつら取付部の編込み構造及び編込み方法は、一つのリール３１からリール糸を引き出して、先端側の糸部を芯糸１１とし、芯糸１１に続くリール側の糸部を編込み用糸１２とし、これらの境目で輪を形成して編込み開始端Ａ１の第１の毛束１の根元に縛ることで、結着部を形成する。次いで、第１の毛束１に隣接した位置の複数本の毛髪を取り纏めて第２の毛束とし、第１の毛束１を第２の毛束に沿わせて重ね合せ集束毛１０とし、芯糸１１を沿わせて重ねる。集束毛と芯糸とを外側から編込み用糸１２で締め付けて束ねることで、編込み部を形成する。以後同様に、順次、次の毛束を取り込んで集束毛及び芯糸と共に編込み用糸で結束していき、終端のかつら取付部の形成を終了する所定位置まで、同様の作業を繰り返し、一本の綱状に連続する編込み部を形成する。次いで、かつら取付部の形成を終了する位置に形成された棒状の編込み張出部を折り返して末端側の編込み部に縫い合わせることで、かつら取付部を完成する。形成したかつら取付部を利用してかがり糸によりかつらを固定する。
この実施形態のかつら取付部及びその形成方法が、第１の実施形態と相違している点は、芯糸１１及び編込み用糸１２がそれぞれ１本であること、及び編込み用糸１２による結束の仕方が相違していることである。この実施形態では、編込み用糸１２にテンションを掛けて左手でループしループが解けない締まり輪１２ｅを３つ作る。このループが解けない締まり輪１２ｅは、編込み用糸１２を単純にループしてから糸のクロスする部分を一回又は数回捻るだけで形成できる。３つの締まり輪１２ｅに集束毛１０の毛束合流部１０ａ及び芯糸１１を通して３つの輪を縮径したときに、ループが解けない締まり輪とする。なお、３つの締まり輪１２ｅを一度に作らず、締まり輪１２ｅを一つずつ作ってその都度締まり輪１２ｅに集束毛１０を通すことを複数回行うようにしてもよい。また、複数のリールからそれぞれ引き出した複数本のリール糸で、上記と同様に芯糸１１と編込み用糸１２としてもよい。すなわち、この実施形態では、芯糸１１と編込み用糸１２とをそれぞれ複数本としてもよい。
【００８１】
〔その他の実施形態〕
本発明は、上記の実施形態に限定されるものでなく、本発明の技術的範囲には、発明の要旨を逸脱しない範囲内で種々、設計変更した形態が含まれる。
（１）上記第１の実施形態では、芯糸１１と編込み用糸１２１，１２２とをリールから繰り出したリール糸Ｓに輪を作り第１の毛束１を締めて先端側を芯糸１１、リール側を編込み用糸１２１，１２２としたが、芯糸１１と編込み用糸１２１，１２２とは別々の糸を用意して第１の毛束１に結着してもよい。
（２）編込み用糸１２１，１２２に掛けるテンションはリール以外のものとしてもよい。すなわち、編込み用糸１２１，１２２の繰り出しが可能なように該編込み用糸１２１，１２２にテンションを掛けられれば足りる。
（３）編込み用糸１２１，１２２は、図示の実施態様では、２本を一組として説明したが、３本以上を一組として用いてもよい。ただし、この場合は撚りの掛け方や集束毛への巻回が煩雑になるので工夫を要する。また、１本の編込み用糸とは、単一の糸条だけを意味するものではなく、例えば２条又はそれ以上の糸条を並行して配置したものも、ここで言う「１本」の編込み用糸に含まれる。１条又は数条の糸を互いに並行配置するか又はこれらを撚り合わせて１本の編込み用糸とすることができることは明らかである。
（４）毛束１を利用した編込み方式でかつら取付部が形成されている限り、どのようなタイプのものであっても、上記した本発明の補強編みが利用又は応用され得る。例えば、背景技術で説明した特許文献１〜４記載の技術にもこの補強編み込み方式が採用できることはいうまでもない。要は、毛束を複数束の数で一纏めにして、括り糸で「く」の字状に屈曲することができる限り、かつらの浮きを抑えることが可能である。
【符号の説明】
【００８２】
１００，１００Ａ，１００Ｂ，１００Ｃ，１００Ｄ…かつら取付部、
Ａ１，Ａ２，Ａ３，Ａ４，Ａ５…編込み開始端、
Ｂ１，Ｂ２，Ｂ３，Ｂ４，Ｂ５…編込み終了端、
１…第１の毛束、
２…第２の毛束、
ｋ…毛束の根元部分、
１０…集束毛、
１０ａ…毛束合流部、
１０ｂ…絡合部、
１１…芯糸、
１２１，１２２…編込み用糸、
１２…編込み用糸、
１２ａ…前側の撚り部、
１２ｂ…間隙部、
１２ｃ…後側の撚り部、
１２ｄ…広がり部、
１２ｅ…締まり輪、
１３…輪、
２０…編込み部、
２０Ａ…編込み張出部、
２１…かがり糸、
３１，３２…糸巻冶具、
３３…Ｃ形針、
３４…括り糸、
２００…かつら、
【図１】
0005384434.tif 000002
【図２】
0005384434.tif 000003
【図３】
0005384434.tif 000004
【図４】
0005384434.tif 000005
【図５】
0005384434.tif 000006
【図６】
0005384434.tif 000007
【図７】
0005384434.tif 000008
【図８】
0005384434.tif 000009
【図９】
0005384434.tif 000010
【図１０】
0005384434.tif 000011
【図１１】
0005384434.tif 000012
【図１２】
0005384434.tif 000013
【図１３】
0005384434.tif 000014
【図１４】
0005384434.tif 000015
【図１５】
0005384434.tif 000016
【図１６】
0005384434.tif 000017